【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が変化するように、前記第１レンズ群が物体側へ移動し、
開口絞りが前記第３レンズ群の物体側に隣接して配置されており、
前記第３レンズ群は、物体側より順に、正レンズ成分と、負レンズ成分と、正レンズ成分との３つのレンズ成分で構成されており、
以下の条件式を満足することを特徴とする可変焦点距離レンズ系。
０．５＜Ｄａ／ｆｗ＜１．５
但し、
Ｄａ：前記第３レンズ群中の最も物体側のレンズ面から最も像側のレンズ面までの光軸上距離，
ｆｗ：広角端状態における前記可変焦点距離レンズ系全体の焦点距離．
【請求項２】
請求項１に記載の可変焦点距離レンズ系において、
広角端状態から望遠端状態までレンズ位置状態が変化する際に、前記第３レンズ群と前記第４レンズ群との間隔が増大するように、前記第３レンズ群が物体側へ移動すると共に、前記第１レンズ群が物体側へ移動し、
以下の条件式を満足することを特徴とする可変焦点距離レンズ系。
１＜Δ１／（ｆｗ・ｆｔ）１／２＜２
但し、
Δ１：広角端状態から望遠端状態までレンズ位置状態が変化する際の前記第１レンズ群の移動量，
ｆｔ：望遠端状態における前記可変焦点距離レンズ系全体の焦点距離．
【請求項３】
請求項２に記載の可変焦点距離レンズ系において、
前記第２レンズ群は、物体側より順に、像側に凹面を向けた第１負レンズ成分と、像側に凹面を向けた第２負レンズ成分と、物体側に凸面を向けた正レンズ成分との３つのレンズ成分で構成されており、
以下の条件式を満足することを特徴とする可変焦点距離レンズ系。
０．０３＜Ｄ２３／|ｆ２|＜０．２０
但し、
Ｄ２３：前記第２レンズ群における前記第２負レンズ成分と前記正レンズ成分との間隔，
ｆ２  ：前記第２レンズ群の焦点距離．
【請求項４】
請求項３に記載の可変焦点距離レンズ系において、
前記第１レンズ群は、物体側に凸面を向けた負メニスカスレンズと正レンズとの接合レンズで構成されており、
以下の条件式を満足することを特徴とする可変焦点距離レンズ系。
Ｄ１／Ｒ１＜（ｆｗ２／（ｆｗ２＋ｙｍａｘ２））１／２
但し、
Ｄ１：広角端状態における前記第１レンズ群の最も物体側のレンズ面から前記開口絞りまでの光軸上距離，
Ｒ１：前記第１レンズ群の最も物体側のレンズ面の曲率半径，
ｙｍａｘ：最大像高．
【請求項５】
請求項１乃至請求項４のいずれか１項に記載の可変焦点距離レンズ系において、
前記第２レンズ群は、非球面を有することを特徴とする可変焦点距離レンズ系。
【請求項６】
請求項１乃至請求項５のいずれか１項に記載の可変焦点距離レンズ系において、
前記第３レンズ群は、非球面を有することを特徴とする可変焦点距離レンズ系。
【手続補正２】
【補正対象書類名】明細書
【補正対象項目名】００４２
【補正方法】変更
【補正の内容】
【００４２】
（表１）
（全体諸元）
広角端状態    中間焦点距離状態    望遠端状態
ｆ          6.39   〜       14.40      〜    27.16
ＦNO        2.88   〜        4.07      〜     4.57
２ω       75.21   〜       35.49      〜    19.12°
（レンズデータ）
面    曲率半径    間隔   屈折率   アッベ数
1     40.2543    0.900  1.84666   23.78
2     26.0490    2.800  1.75500   52.32
3  -1909.4996    (D3)   1.0
4     37.9055    1.000  1.79450   45.40
5      7.0398    2.450  1.0 
6    -61.1984    0.700  1.77250   49.61
7     10.3694    1.200  1.0
8     11.9637    1.800  1.84666   23.78
9    134.7168    (D9)   1.0
10      0.0000    2.000  1.0             （開口絞り）
11      5.3928    2.250  1.72916   54.66
12    -42.5477    0.800  1.0
13    -16.5589    0.650  1.80809   22.76
14     13.3606    0.450  1.0
15    -12.4508    0.900  1.79450   45.40
16    -11.0987    (D16)  1.0
17     12.3487    2.300  1.49700   81.61
18  -9944.9996    (Bf)   1.0
（非球面係数）
第５レンズ面と第１５レンズ面と第１６レンズ面とは非球面であり、それぞれの非球面係数を以下に示す。
［第５面］
κ＝-2.5765   Ｃ4 ＝+1.1581×10−3    Ｃ6 ＝-9.5500×10−6
Ｃ8 ＝+2.2307×10−8    Ｃ10＝+4.0283×10−9
［第１５面］
κ＝ 8.1170   Ｃ4 ＝+7.3841×10−4    Ｃ6 ＝+3.9143×10−4
Ｃ8 ＝-1.0685×10−5    Ｃ10＝-3.0515×10−8
［第１６面］
κ＝-9.0000   Ｃ4 ＝+7.9978×10−4    Ｃ6 ＝+4.2205×10−4
Ｃ8 ＝-1.0964×10−5    Ｃ10＝+1.0713×10−6
（可変間隔データ）
レンズ位置状態が変化する際の可変間隔を以下に示す。
広角端状態  中間焦点距離状態  望遠端状態
ｆ         6.3854        14.3998        27.1599
D3         0.7000        10.3807        17.4976
D9        12.6680         3.6276         0.5852
D16        6.2413        11.1178        21.0512
BF         6.0304         7.7015         6.0299
（条件式対応値）
ｆ２ ＝ -9.6564
（１）Ｄａ／ｆｗ ＝ 0.79
（２）Δ１／（ｆｗ・ｆｔ）１／２＝ 1.48
（３）Ｄ２３／|ｆ２|＝ 0.12
（４）Ｄ１／Ｒ１ ＝ 0.60
（ｆｗ２／（ｆｗ２＋ｙｍａｘ２））１／２＝ 0.81
【手続補正３】
【補正対象書類名】明細書
【補正対象項目名】００４７
【補正方法】変更
【補正の内容】
【００４７】
（表２）
（全体諸元）
広角端状態    中間焦点距離状態    望遠端状態
ｆ          6.70   〜       14.60      〜    27.13
ＦNO        2.88   〜        3.84      〜     4.78
２ω       72.72   〜       35.08      〜    19.27°
（レンズデータ）
面    曲率半径    間隔   屈折率   アッベ数
1     38.2542    0.900  1.84666   23.78
2     26.4710    2.500  1.77250   49.61
3    155.9562    (D3)   1.0
4     36.3311    1.000  1.79450   45.40
5      7.7749    2.650  1.0 
6    -76.4394    0.700  1.75500   52.32
7     12.5365    1.650  1.0
8     14.2461    1.800  1.84666   23.78
9    101.9364    (D9)   1.0
10      0.0000    1.700  1.0              （開口絞り）
11      5.9506    2.150  1.72916   54.66
12   -121.3146    1.000  1.0
13    -25.5408    0.650  1.80809   22.76
14     11.8809    0.500  1.0
15    -19.0549    0.900  1.69350   53.22
16    -11.2921    (D16)  1.0
17     23.5288    1.350  1.75500   52.32
18      0.0000    (Bf)   1.0
（非球面係数）
第５レンズ面と第１５レンズ面と第１６レンズ面とは非球面であり、それぞれの非球面係数を以下に示す。
［第５面］
κ＝-3.3630   Ｃ4 ＝+1.0617×10−3    Ｃ6 ＝-1.6626×10−5
Ｃ8 ＝+3.2651×10−7    Ｃ10＝-2.2032×10−9
［第１５面］
κ＝11.0000   Ｃ4 ＝-3.1648×10−4    Ｃ6 ＝+1.0222×10−4
Ｃ8 ＝+1.7755×10−5    Ｃ10＝-9.2894×10−7
［第１６面］
κ＝-1.4398   Ｃ4 ＝+5.8112×10−4    Ｃ6 ＝+1.2537×10−4
Ｃ8 ＝+1.3154×10−5    Ｃ10＝-1.7033×10−7
（可変間隔データ）
レンズ位置状態が変化する際の可変間隔を以下に示す。
広角端状態  中間焦点距離状態  望遠端状態
ｆ         6.6999        14.5999        27.1315
D3         0.7000        11.3350        21.4250
D9        16.0590         5.7222         0.9432
D16        8.0203        14.0854        20.0819
BF         6.0303         6.0303         6.0300
（条件式対応値）
ｆ２ ＝ -11.2610
（１）Ｄａ／ｆｗ ＝ 0.78
（２）Δ１／（ｆｗ・ｆｔ）1/2 ＝ 1.31
（３）Ｄ２３／|ｆ２| ＝ 0.15
（４）Ｄ１／Ｒ１ ＝ 0.73
（ｆｗ２／（ｆｗ２＋ｙｍａｘ２））１／２＝ 0.82
【手続補正４】
【補正対象書類名】明細書
【補正対象項目名】００５０
【補正方法】変更
【補正の内容】
【００５０】
（表３）
（全体諸元）
広角端状態    中間焦点距離状態    望遠端状態
ｆ          7.20   〜       15.00      〜    27.13
ＦNO        2.88   〜        3.60      〜     4.70
２ω       68.77   〜       34.24      〜    19.13°
（レンズデータ）
面    曲率半径    間隔   屈折率   アッベ数
1     39.0896    0.900  1.84666   23.78
2     26.1740    2.400  1.75500   52.32
3    847.0754    (D3)   1.0
4     29.8433    1.000  1.79450   45.40
5      6.2925    2.350  1.0 
6    -26.6454    0.700  1.77250   49.61
7     17.2580    0.750  1.0
8     13.0478    1.700  1.84666   23.78
9   7831.4595    (D9)   1.0
10      0.0000    1.700  1.0              （開口絞り）
11      5.3972    2.250  1.75500   52.32
12    -53.8427    0.450  1.0
13    -42.8393    0.650  1.80809   22.76
14      8.9800    0.550  1.0
15    -17.4827    0.900  1.79450   45.40
16    -14.0668    (D16)  1.0
17     16.6627    1.700  1.60300   65.47
18  -9944.9996    (Bf)   1.0
（非球面係数）
第５レンズ面と第１５レンズ面と第１６レンズ面とは非球面であり、それぞれの非球面係数を以下に示す。
［第５面］
κ＝-2.1043   Ｃ4 ＝+1.4570×10−3    Ｃ6 ＝-8.7419×10−6
Ｃ8 ＝+4.6555×10−8    Ｃ10＝+9.7870×10−9
［第１５面］
κ＝ 4.5475   Ｃ4 ＝-5.7196×10−4    Ｃ6 ＝+1.7009×10−4
Ｃ8 ＝+1.6752×10−5    Ｃ10＝-1.2084×10−6
［第１６面］
κ＝-8.0776   Ｃ4 ＝+5.4710×10−4    Ｃ6 ＝+2.2019×10−4
Ｃ8 ＝+1.1611×10−5    Ｃ10＝+1.1219×10−7
（可変間隔データ）
レンズ位置状態が変化する際の可変間隔を以下に示す。
広角端状態  中間焦点距離状態  望遠端状態
ｆ         7.2028        14.9999        27.1330
D3         0.7000        10.2814        17.8673
D9        11.8980         3.6587         0.8000
D16        7.6709        11.1235        19.7736
BF         6.0304         7.0303         6.0302
（条件式対応値）
ｆ２ ＝ -10.1618
（１）Ｄａ／ｆｗ ＝ 0.67
（２）Δ１／（ｆｗ・ｆｔ）１／２＝ 1.30
（３）Ｄ２３／|ｆ２| ＝ 0.07
（４）Ｄ１／Ｒ１ ＝ 0.57
（ｆｗ２／（ｆｗ２＋ｙｍａｘ２））１／２＝ 0.84
【手続補正５】
【補正対象書類名】明細書
【補正対象項目名】００５３
【補正方法】変更
【補正の内容】
【００５３】
（表４）
（全体諸元）
広角端状態    中間焦点距離状態    望遠端状態
ｆ          6.45   〜       15.00      〜    24.30
ＦNO        2.88   〜        3.75      〜     4.50
２ω       74.84   〜       34.56      〜    21.72°
（レンズデータ）
面    曲率半径    間隔   屈折率   アッベ数
1     35.5670    0.900  1.84666   23.78
2     25.2949    3.000  1.81600   46.63
3     81.7907    (D3)   1.0
4     55.7736    0.950  1.69350   53.22
5      9.0909    4.000  1.0 
6    -17.9746    0.800  1.65160   58.54
7     11.2326    1.650  1.0
8     16.8117    2.600  1.80610   33.27
9    -58.3068    (D9)   1.0
10      0.0000    0.500  1.0              （開口絞り）
11      5.6321    2.700  1.49700   81.61
12    -25.0030    1.700  1.0
13    -10.2813    0.800  1.84666   23.83
14    -38.8327    0.650  1.0
15     -6.3119    1.150  1.58913   61.18
16     -6.0000    (D16)  1.0
17     25.0008    1.500  1.60300   65.47
18      0.0000    (D18)  1.0
19      0.0000    3.260  1.51633   64.14 （ガラスブロック）
20      0.0000    (Bf)   1.0
（非球面係数）
第４レンズ面と第１５レンズ面と第１６レンズ面とは非球面であり、それぞれの非球面係数を以下に示す。
［第４面］
κ＝11.0000   Ｃ4 ＝+8.6165×10−5    Ｃ6 ＝-5.7772×10−7
Ｃ8 ＝+4.8229×10−9    Ｃ10＝+1.9002×10−12
［第１５面］
κ＝ 2.5931   Ｃ4 ＝-4.2473×10−4    Ｃ6 ＝+8.0084×10−5
Ｃ8 ＝+2.0467×10−5    Ｃ10＝-5.5844×10−7
［第１６面］
κ＝ 1.0000   Ｃ4 ＝+2.4812×10−4    Ｃ6 ＝+8.0084×10−5
Ｃ8 ＝+1.4345×10−5    Ｃ10＝-3.5453×10−7
（可変間隔データ）
レンズ位置状態が変化する際の可変間隔を以下に示す。
広角端状態  中間焦点距離状態  望遠端状態
ｆ         6.4500        15.0000        24.2971
D3         0.7000        13.6869        20.2971
D9        21.5550         7.2060         1.9990
D16        8.5440        14.5889        19.8175
D18        1.0000         1.0000         1.0000
BF         2.4410         2.4410         2.4410
（条件式対応値）
ｆ２ ＝ -12.086
（１）Ｄａ／ｆｗ ＝ 1.09
（２）Δ１／（ｆｗ・ｆｔ）１／２＝ 0.90
（３）Ｄ２３／|ｆ２| ＝ 0.14
（４）Ｄ１／Ｒ１ ＝ 1.02
（ｆｗ２／（ｆｗ２＋ｙｍａｘ２））１／２＝ 0.81